(57)【要約】【課題】デフケースのかしめ固定部を外周側に変形させる際にかしめ固定部の内周面に発生する引張応力を抑制し、もって、かしめ固定部の内周面に割れが発生するのを抑制する技術を提供する。【解決手段】リングギヤ１２をデフケース１３に取り付ける方法は、リングギヤ１２をデフケース１３の外周側に嵌める第１のステップと、デフケース１３のかしめ固定部５２を外周側に変形させることでリングギヤ１２のデフケース１３からの脱落を防止する第２のステップと、を含む。第２のステップでは、デフケース１３のかしめ固定部５２の内周面５３に対して接触可能な傾斜面６１を有する治具６０をデフケース１３の回転軸方向に沿って押し込むことで、かしめ固定部５２を外周側に変形させている。治具６０の傾斜面６１、及び、かしめ固定部５２の内周面５３には、治具６０の傾斜面６１とかしめ固定部５２の内周面５３との間の摩擦を強める表面処理が施されている。【選択図】図１１
2016172266.tif 000002
【特許請求の範囲】
【請求項１】
リングギヤをデフケースに取り付ける方法であって、
前記リングギヤを前記デフケースの外周側に嵌める第１のステップと、
前記デフケースのかしめ固定部を外周側に変形させることで前記リングギヤの前記デフケースからの脱落を防止する第２のステップと、
を含み、
前記第２のステップでは、前記デフケースの前記かしめ固定部の内周面に対して接触可能な傾斜面を有する治具を前記デフケースの回転軸方向に沿って押し込むことで、前記かしめ固定部を外周側に変形させており、
前記治具の前記傾斜面、又は、前記かしめ固定部の前記内周面、のうち少なくとも何れか一方には、前記治具の前記傾斜面と前記かしめ固定部の前記内周面との間の摩擦を強める表面処理が施されている、
方法。
【請求項２】
デフケースの外周側に嵌められたリングギヤの前記デフケースからの脱落を防止するために、前記デフケースのかしめ固定部を外周側に変形させるのに用いられる治具であって、
前記かしめ固定部の内周面に対して接触可能な傾斜面を有し、
前記傾斜面には、前記傾斜面と前記かしめ固定部の前記内周面との間の摩擦を強める表面処理が施されている、
治具。
【請求項３】
デフケースの外周側に嵌められたリングギヤの前記デフケースからの脱落を防止するために、前記デフケースのかしめ固定部を外周側に変形させるようにした、デフケースであって、
前記かしめ固定部の内周面には、摩擦を強めるような表面処理が施されている、
デフケース。
【発明の詳細な説明】
【技術分野】
【０００１】
本発明は、リングギヤをデフケースに取り付ける方法及びそれに用いる治具、デフケースに関する。
【背景技術】
【０００２】
特許文献１は、リングギヤをデフケースの外周側に嵌めた後、デフケースのかしめ固定部を外周側に変形させることで、リングギヤのデフケースからの脱落を防止する技術を開示している。具体的には、デフケースのかしめ固定部を外周側に変形させるべく、かしめ固定部の内周面に対して接触可能な傾斜面を有する治具をリングギヤの軸方向に沿って押し込むようにしている。
【先行技術文献】
【特許文献】
【０００３】
【特許文献１】国際公開第2012/004866号パンフレット
【発明の概要】
【発明が解決しようとする課題】
【０００４】
しかしながら、デフケースのかしめ固定部を外周側に変形させる際、かしめ固定部の内周面には引張応力が発生し、この引張応力に起因してかしめ固定部の内周面に割れが発生する場合があった。
【０００５】
そこで、本発明の目的は、デフケースのかしめ固定部を外周側に変形させる際にかしめ固定部の内周面に発生する引張応力を抑制し、もって、かしめ固定部の内周面に割れが発生するのを抑制する技術を提供することにある。
【課題を解決するための手段】
【０００６】
リングギヤをデフケースに取り付ける方法であって、前記リングギヤを前記デフケースの外周側に嵌める第１のステップと、前記デフケースのかしめ固定部を外周側に変形させることで前記リングギヤの前記デフケースからの脱落を防止する第２のステップと、を含み、前記第２のステップでは、前記デフケースの前記かしめ固定部の内周面に対して接触可能な傾斜面を有する治具を前記デフケースの回転軸方向に沿って押し込むことで、前記かしめ固定部を外周側に変形させており、前記治具の前記傾斜面、又は、前記かしめ固定部の前記内周面、のうち少なくとも何れか一方には、前記治具の前記傾斜面と前記かしめ固定部の前記内周面との間の摩擦を強める表面処理が施されている、方法が提供される。即ち、上記第２のステップにおいて前記かしめ固定部の前記内周面には前記かしめ固定部の外周側への変形に起因して引張応力が発生する。これに対し、以上の方法によれば、前記治具を押し込んだ際、前記かしめ固定部の前記内周面には前記治具の前記傾斜面と前記かしめ固定部の前記内周面との間の摩擦に起因して圧縮作用が発生する。そして、この圧縮作用は上記引張応力を緩和する関係にある。従って、前記かしめ固定部を外周側に変形させる際に前記かしめ固定部の前記内周面に発生する上記引張応力を抑制し、もって、前記かしめ固定部の前記内周面に割れが発生するのを抑制することができる。
デフケースの外周側に嵌められたリングギヤの前記デフケースからの脱落を防止するために、前記デフケースのかしめ固定部を外周側に変形させるのに用いられる治具であって、前記かしめ固定部の内周面に対して接触可能な傾斜面を有し、前記傾斜面には、前記傾斜面と前記かしめ固定部の前記内周面との間の摩擦を強める表面処理が施されている、治具が提供される。即ち、前記治具を前記デフケースの回転軸方向に沿って押し込むと、前記かしめ固定部が外周側へ変形し、前記かしめ固定部の前記内周面には前記かしめ固定部の外周側への変形に起因して引張応力が発生する。これに対し、以上の構成によれば、前記治具を押し込んだ際、前記かしめ固定部の前記内周面には前記治具の前記傾斜面と前記かしめ固定部の前記内周面との間の摩擦に起因して圧縮作用が発生する。そして、この圧縮作用は上記引張応力を緩和する関係にある。従って、前記かしめ固定部を外周側に変形させる際に前記かしめ固定部の前記内周面に発生する上記引張応力を抑制し、もって、前記かしめ固定部の前記内周面に割れが発生するのを抑制することができる。
デフケースの外周側に嵌められたリングギヤの前記デフケースからの脱落を防止するために、前記デフケースのかしめ固定部を外周側に変形させるようにした、デフケースであって、前記かしめ固定部の内周面には、摩擦を強めるような表面処理が施されている、デフケースが提供される。以上の構成で、前記かしめ固定部の前記内周面に対して接触可能な傾斜面を有する治具を前記デフケースの回転軸方向に沿って押し込むと、前記かしめ固定部が外周側へ変形し、前記かしめ固定部の前記内周面には前記かしめ固定部の外周側への変形に起因して引張応力が発生する。これに対し、以上の構成によれば、前記治具を押し込んだ際、前記かしめ固定部の前記内周面には前記治具の前記傾斜面と前記かしめ固定部の前記内周面との間の摩擦に起因して圧縮作用が発生する。そして、この圧縮作用は上記引張応力を緩和する関係にある。従って、前記かしめ固定部を外周側に変形させる際に前記かしめ固定部の前記内周面に発生する上記引張応力を抑制し、もって、前記かしめ固定部の前記内周面に割れが発生するのを抑制することができる。
【発明の効果】
【０００７】
本発明によれば、前記かしめ固定部を外周側に変形させる際に前記かしめ固定部の前記内周面に発生する上記引張応力を抑制し、もって、前記かしめ固定部の前記内周面に割れが発生するのを抑制することができる。
【図面の簡単な説明】
【０００８】
【図１】ディファレンシャルの断面図である。（第１実施形態）
【図２】図１の要部拡大図である。（第１実施形態）
【図３】図２の要部拡大図であって、かしめ固定部の変形前の様子を示している。（第１実施形態）
【図４】リングギヤをデフケースに取り付けるフローチャートである。（第１実施形態）
【図５】リングギヤをデフケースの外周側に嵌める様子を示す図である。（第１実施形態）
【図６】リングギヤをデフケースの外周側に嵌める様子を示す図である。（第１実施形態）
【図７】治具を用いてかしめ固定部を外周側へ変形させる様子を示す課題説明図である。
【図８】治具を用いてかしめ固定部を外周側へ変形させる様子を示す課題説明図である。
【図９】治具を用いてかしめ固定部を外周側へ変形させる様子を示す図である。（第１実施形態）
【図１０】治具を用いてかしめ固定部を外周側へ変形させる様子を示す図である。（第１実施形態）
【図１１】治具を用いてかしめ固定部を外周側へ変形させる様子を示す図である。（第１実施形態）
【図１２】治具を用いてかしめ固定部を外周側へ変形させる様子を示す図である。（変形例）
【図１３】治具を用いてかしめ固定部を外周側へ変形させる様子を示す図である。（変形例）
【図１４】治具を用いてかしめ固定部を外周側へ変形させる様子を示す図である。（変形例）
【発明を実施するための形態】
【０００９】
（第１実施形態）
以下、図１〜図１１を参照して、第１実施形態を説明する。図１に示すように、ディファレンシャル１０は、ディファレンシャル機構１１と、ディファレンシャル機構１１を収容するデフケース１３と、デフケース１３に締結されたリングギヤ１２と、を備える。このディファレンシャル１０は、エンジンから出力されリングギヤ１２を介して入力される動力を左右の駆動輪に伝達する。また、このディファレンシャル１０は、ディファレンシャル機構１１により左右の駆動輪がそれぞれ異なった回転数で回転することを許容する。
【００１０】
ディファレンシャル機構１１は、ピニオンシャフト２１と、固定ピン２２と、一対のピニオンギヤ２３と、を有する。ピニオンシャフト２１は、デフケース１３に支持されている。固定ピン２２は、ピニオンシャフト２１をデフケース１３に固定する。一対のピニオンギヤ２３は、ピニオンシャフト２１に回転可能に支持されている。
【００１１】
また、ディファレンシャル機構１１は、右ドライブシャフト１Ｒの先端部にスプライン嵌合された右サイドギヤ２５と、左ドライブシャフト１Ｌの先端部にスプライン嵌合された左サイドギヤ２６と、を有する。右サイドギヤ２５及び左サイドギヤ２６は、それぞれ一対のピニオンギヤ２３と噛み合っている。
【００１２】
以上の構成で、リングギヤ１２の回転によりデフケース１３が回転すると、ピニオンシャフト２１及び一対のピニオンギヤ２３が回転し、右サイドギヤ２５及び左サイドギヤ２６が回転する。従って、リングギヤ１２に入力された動力は、右サイドギヤ２５及び左サイドギヤ２６を介して右ドライブシャフト１Ｒ及び左ドライブシャフト１Ｌに伝達されることになる。
【００１３】
リングギヤ１２は、図２及び図３に示すように、本体部３１と、圧入面３２と、歯部３３と、第１の側面３４と、第２の側面３５と、傾斜面３６と、を有する。ここで、「圧入方向」を定義する。圧入方向とは、リングギヤ１２をデフケース１３に圧入する方向である。
【００１４】
本体部３１は、環状に形成されている。圧入面３２は、本体部３１の内周面である。歯部３３は、本体部３１から外周側に突出して形成されている。本実施形態において歯部３３は、はすば歯車状に形成されている。第１の側面３４及び第２の側面３５は、デフケース１３の回転軸方向（以降、単に回転軸方向と称する。）に対して直交する面である。第１の側面３４は、第２の側面３５の反対側の面である。第２の側面３５は、圧入方向を向く面である。第１の側面３４は、圧入方向と反対の方向を向く面である。傾斜面３６は、第１の側面３４と圧入面３２とが交わる角部の全周に渡って環状に形成されている。傾斜面３６は、C面（Chamfer Surface）である。
【００１５】
デフケース１３は、図１に示すように、本体４１と、右支持ボス４２と、左支持ボス４３と、フランジ４４と、を有する。
【００１６】
本体４１は、ディファレンシャル機構１１を収容する。右支持ボス４２には、右ドライブシャフト１Ｒが回転可能に挿通される。左支持ボス４３には、左ドライブシャフト１Ｌが回転可能に挿通される。
【００１７】
フランジ４４は、図２に示すように、フランジ本体５０と、側面支持部５１と、かしめ固定部５２と、を有している。
【００１８】
フランジ本体５０は、本体４１から外周側に環状に突出して形成されている。フランジ本体５０は、フランジ本体５０の圧入方向における先端部５０ａと、フランジ４４の圧入方向における基端部５０ｂと、外周面５０ｃと、を有する。
【００１９】
側面支持部５１は、フランジ本体５０の先端部５０ａから外周側に環状に突出して形成されている。側面支持部５１は、リングギヤ１２の第２の側面３５を支持する。
【００２０】
かしめ固定部５２は、図２及び図３に示すように、フランジ４４の基端部５０ｂから、圧入方向と反対の方向に環状に突出して形成されている。図３に示すように、かしめ固定部５２は、内周面５３を有する。内周面５３は、ストレート内周面５４及びテーパー内周面５５を有する。ストレート内周面５４及びテーパー内周面５５は、かしめ固定部５２の突出方向に沿ってこの順に連なって形成されている。ストレート内周面５４は、回転軸方向に沿ってストレート状に延びる内周面である。テーパー内周面５５は、かしめ固定部５２の突出方向に向かうにつれて広がるように傾斜する内周面である。そして、図２に示すように、かしめ固定部５２を外周側に変形させることで、かしめ固定部５２はリングギヤ１２の第１の側面３４及び傾斜面３６を支持する。この結果、リングギヤ１２のデフケース１３からの脱落が禁止される。
【００２１】
リングギヤ１２のデフケース１３への取り付けは、図４〜図８に示すように、以下のように行われる。即ち、先ず、図５及び図６に示すように、リングギヤ１２をデフケース１３の外周側に嵌める（S100）。具体的には、デフケース１３のフランジ４４のフランジ本体５０の外周面５０ｃがリングギヤ１２の圧入面３２と径方向で対向すると共に、リングギヤ１２の第２の側面３５がフランジ４４の側面支持部５１と回転軸方向で対向するように、リングギヤ１２をデフケース１３の外周側に嵌める。
【００２２】
次に、図７及び図８に示す治具６０を用いて、かしめ固定部５２を外周側に変形させる（S110）。図７には、治具６０の断面図を示している。治具６０は、かしめ固定部５２の内周面５３に対して接触可能な環状の傾斜面６１を有している。傾斜面６１は、圧入方向へ向かうにつれて先細るように傾斜する面である。このように構成された治具６０を図７及び図８に示すように圧入方向へデフケース１３の回転軸に沿って押し込むと、治具６０の傾斜面６１がかしめ固定部５２の内周面５３に接触し、かしめ固定部５２が外周側に塑性変形し、もって、リングギヤ１２のデフケース１３からの脱落が禁止されるようになる。
【００２３】
このとき、かしめ固定部５２の外周側への変形に起因して、図８に示すように、かしめ固定部５２の内周面５３には、回転軸方向に対して実質的に平行な引張応力Pが発生する。そして、この引張応力Pに起因して内周面５３に割れWが発生する場合があった。
【００２４】
そこで、本実施形態では、図９及び図１０に示すように、治具６０の傾斜面６１、及び、かしめ固定部５２の内周面５３には、治具６０の傾斜面６１とかしめ固定部５２の内周面５３との間の摩擦を強める表面処理が施されている。
【００２５】
即ち、通常、治具６０の傾斜面６１は鏡面仕上げが施されているところ、本実施形態において治具６０の傾斜面６１の断面形状は、あえて凹凸状としている。具体的には、傾斜面６１の断面形状は、波目状としている。図１０に示すように、傾斜面６１には、環状に延びる複数の溝ｇが形成されていると言及することもできる。
【００２６】
同様に、かしめ固定部５２の内周面５３の断面形状も、凹凸状としている。具体的には、内周面５３の断面形状は、波目状としている。図１０に示すように、内周面５３には、環状に延びる複数の溝ｈが形成されていると言及することもできる。
【００２７】
以上の構成によれば、治具６０を圧入方向へ押し込むと、図１１に示すように、治具６０の傾斜面６１とかしめ固定部５２の内周面５３との間の強力な摩擦によって、かしめ固定部５２の内周面５３には、回転軸方向に沿って圧縮作用Aが起こる。この圧縮作用Aは、上記引張応力Pを緩和する関係にある。従って、かしめ固定部５２を外周側に変形させる際にかしめ固定部５２の内周面５３に発生する上記引張応力Pを抑制し、もって、かしめ固定部５２の内周面５３に割れWが発生するのを抑制している。
【００２８】
以上に、本願発明の好適な実施形態を説明したが、上記実施形態は以下の特長を有する。
【００２９】
リングギヤ１２をデフケース１３に取り付ける方法は、リングギヤ１２をデフケース１３の外周側に嵌める第１のステップ(S100)と、デフケース１３のかしめ固定部５２を外周側に変形させることでリングギヤ１２のデフケース１３からの脱落を防止する第２のステップ(S110)と、を含む。第２のステップ(S110)では、デフケース１３のかしめ固定部５２の内周面５３に対して接触可能な傾斜面６１を有する治具６０をデフケース１３の回転軸方向に沿って押し込むことで、かしめ固定部５２を外周側に変形させている。治具６０の傾斜面６１、及び、かしめ固定部５２の内周面５３には、治具６０の傾斜面６１とかしめ固定部５２の内周面５３との間の摩擦を強める表面処理が施されている。即ち、上記第２のステップ(S110)においてかしめ固定部５２の内周面５３にはかしめ固定部５２の外周側への変形に起因して引張応力Pが発生する。これに対し、以上の方法によれば、治具６０を押し込んだ際、かしめ固定部５２の内周面５３には治具６０の傾斜面６１とかしめ固定部５２の内周面５３との間の摩擦に起因して圧縮作用Aが発生する。そして、この圧縮作用Aは上記引張応力Pを緩和する関係にある。従って、かしめ固定部５２を外周側に変形させる際にかしめ固定部５２の内周面５３に発生する上記引張応力Pを抑制し、もって、かしめ固定部５２の内周面５３に割れが発生するのを抑制することができる。
【００３０】
なお、上記実施形態では、治具６０の傾斜面６１、及び、かしめ固定部５２の内周面５３には、治具６０の傾斜面６１とかしめ固定部５２の内周面５３との間の摩擦を強める表面処理が施されている。しかし、これに代えて、例えば図１２に示すように、治具６０の傾斜面６１にのみ上記表面処理が施されていてもよいし、かしめ固定部５２の内周面５３にのみ上記表面処理が施されていてもよい。つまり、治具６０の傾斜面６１、又は、かしめ固定部５２の内周面５３のうち少なくとも何れか一方に、治具６０の傾斜面６１とかしめ固定部５２の内周面５３との間の摩擦を強める表面処理が施されていればよい。
【００３１】
また、「リングギヤ１２をデフケース１３の外周側に嵌める」とは、本実施形態では、「リングギヤ１２をデフケース１３のフランジ４４の外周面５０ｃに嵌める」を意味する。
【００３２】
上記表面処理は、治具６０の傾斜面６１、及び、かしめ固定部５２の内周面５３の断面形状を凹凸状とするものである。
【００３３】
上記表面処理は、治具６０の傾斜面６１、及び、かしめ固定部５２の内周面５３の断面形状を波目状とするものである。
【００３４】
また、例えば図１３に示すように、上記表面処理は、治具６０の傾斜面６１に複数の窪みｒを形成するものであってもよい。同様の表面処理をかしめ固定部５２の内周面５３に適用してもよい。
【００３５】
また、例えば図１４に示すように、上記表面処理は、治具６０の傾斜面６１に格子状の溝ｓを形成するものであってもよい。同様の表面処理をかしめ固定部５２の内周面５３に適用してもよい。
【００３６】
また、上記表面処理をかしめ固定部５２の内周面５３に適用するに際し、内周面５３のストレート内周面５４及びテーパー内周面５５の両方に適用する場合と、テーパー内周面５５のみに適用する場合と、が考えられる。
【００３７】
また、デフケース１３の外周側に嵌められたリングギヤ１２のデフケース１３からの脱落を防止するために、デフケース１３のかしめ固定部５２を外周側に変形させるのに用いられる治具６０は、かしめ固定部５２の内周面５３に対して接触可能な傾斜面６１を有する。傾斜面６１には、傾斜面６１とかしめ固定部５２の内周面５３との間の摩擦を強める表面処理が施されている。即ち、治具６０をデフケース１３の回転軸方向に沿って押し込むと、かしめ固定部５２が外周側へ変形し、かしめ固定部５２の内周面５３にはかしめ固定部５２の外周側への変形に起因して引張応力Pが発生する。これに対し、以上の構成によれば、治具６０を押し込んだ際、かしめ固定部５２の内周面５３には治具６０の傾斜面６１とかしめ固定部５２の内周面５３との間の摩擦に起因して圧縮作用Aが発生する。そして、この圧縮作用Aは上記引張応力Pを緩和する関係にある。従って、かしめ固定部５２を外周側に変形させる際にかしめ固定部５２の内周面５３に発生する上記引張応力Pを抑制し、もって、かしめ固定部５２の内周面５３に割れが発生するのを抑制することができる。
【００３８】
また、デフケース１３の外周側に嵌められたリングギヤ１２のデフケース１３からの脱落を防止するために、デフケース１３のかしめ固定部５２を外周側に変形させるようにした、デフケース１３は、以下のように構成されている。かしめ固定部５２の内周面５３には、摩擦を強めるような表面処理が施されている。以上の構成で、かしめ固定部５２の内周面５３に対して接触可能な傾斜面６１を有する治具６０をデフケース１３の回転軸方向に沿って押し込むと、かしめ固定部５２が外周側へ変形し、かしめ固定部５２の内周面５３にはかしめ固定部５２の外周側への変形に起因して引張応力Pが発生する。これに対し、以上の構成によれば、治具６０を押し込んだ際、かしめ固定部５２の内周面５３には治具６０の傾斜面６１とかしめ固定部５２の内周面５３との間の摩擦に起因して圧縮作用Aが発生する。そして、この圧縮作用Aは上記引張応力Pを緩和する関係にある。従って、かしめ固定部５２を外周側に変形させる際にかしめ固定部５２の内周面５３に発生する上記引張応力Pを抑制し、もって、かしめ固定部５２の内周面５３に割れが発生するのを抑制することができる。
【００３９】
また、上記表面処理は、例えば、ショットブラスト処理であってもよいし、単にヤスリを用いて表面粗度を粗くする処理であってもよい。
【符号の説明】
【００４０】
１２  リングギヤ
１３  デフケース
４４  フランジ
５２  かしめ固定部
５３  内周面
５４  ストレート内周面
５５  テーパー内周面
６０  治具
６１  傾斜面
P  引張応力
W  割れ
A  圧縮作用
【図１】
2016172266.tif 000003
【図２】
2016172266.tif 000004
【図３】
2016172266.tif 000005
【図４】
2016172266.tif 000006
【図５】
2016172266.tif 000007
【図６】
2016172266.tif 000008
【図７】
2016172266.tif 000009
【図８】
2016172266.tif 000010
【図９】
2016172266.tif 000011
【図１０】
2016172266.tif 000012
【図１１】
2016172266.tif 000013
【図１２】
2016172266.tif 000014
【図１３】
2016172266.tif 000015
【図１４】
2016172266.tif 000016